(57)【特許請求の範囲】
【請求項１】
ワイヤレス通信の方法において、
ノードによるパルスの送信が、前記ノードにおいて別のパルスを受信するために規定された複数のＰＰＭ位置のうちの少なくとも１つの位置の間で生じていることを決定することと、
前記ＰＰＭ位置のうちの少なくとも別の１つの間に、前記別のパルスを監視することと、
前記監視に基づいて、前記ＰＰＭ位置のうちの少なくとも別の１つに対する少なくとも１つのデータ値を決定することと、
前記少なくとも１つの位置の間に受信される何らかのデータに基づくのではなく、前記少なくとも１つのデータ値に基づいて、前記別のパルスに対するデータ値を決定することとを含む方法。
【請求項２】
前記別のパルスに対するデータ値の決定は、オン−オフキーイング動作を含む請求項１記載の方法。
【請求項３】
前記別のパルスに対するデータ値の決定は、前記別のパルスに対するデータ値を前記少なくとも１つのデータ値に等しく設定することを含む請求項１記載の方法。
【請求項４】
前記少なくとも１つのデータ値に基づいて、前記少なくとも１つの位置に対する少なくとも１つの他のデータ値を推定することをさらに含み、前記別のパルスに対するデータ値の決定は、前記別のパルスに対するデータ値を、前記推定された少なくとも１つの他のデータ値に等しく設定することを含む請求項１記載の方法。
【請求項５】
前記少なくとも１つの位置の間に受信される何らかのデータに基づいて、前記別のパルスに対するデータ値を決定しないようにする判断が、少なくとも１つの適応可能な基準に基づいている請求項１記載の方法。
【請求項６】
前記少なくとも１つの位置の間に受信される何らかデータに基づいて、前記別のパルスに対するデータ値を決定しないようにする判断が、前記少なくとも１つの位置の間に前記データが受信されていない、または、前記少なくとも１つの位置の間に受信される何らかのデータは十分に正確ではないという決定によりトリガされる請求項１記載の方法。
【請求項７】
前記パルスの送信により影響される、前記少なくとも１つの位置に関係するサンプルの量を決定することをさらに含み、前記少なくとも１つの位置の間に受信される何らかのデータに基づいて、前記別のパルスに対するデータ値を決定しないようにする判断が、前記決定された量に基づいている請求項１記載の方法。
【請求項８】
ワイヤレス通信のための装置において、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダとを具備するワイヤレス通信のための装置。
【請求項９】
前記別のパルスに対するデータ値の決定は、オン−オフキーイング動作を含む請求項８記載の装置。
【請求項１０】
前記別のパルスに対するデータ値の決定は、前記別のパルスに対するデータ値を前記少なくとも１つのデータ値に等しく設定することを含む請求項８記載の装置。
【請求項１１】
前記少なくとも１つのデータ値に基づいて、前記少なくとも１つの位置に対する少なくとも１つの他のデータ値を推定するように構成されている受信データ指定器をさらに具備し、前記別のパルスに対するデータ値の決定は、前記別のパルスに対するデータ値を、前記推定された少なくとも１つの他のデータ値に等しく設定することを含む請求項８記載の装置。
【請求項１２】
前記少なくとも１つの位置の間に受信される何らかのデータに基づいて、前記別のパルスに対するデータ値を決定しないようにする判断が、少なくとも１つの適応可能な基準に基づいている請求項８記載の装置。
【請求項１３】
前記少なくとも１つの位置の間に受信される何らかデータに基づいて、前記別のパルスに対するデータ値を決定しないようにする判断が、前記少なくとも１つの位置の間に前記データが受信されていない、または、前記少なくとも１つの位置の間に受信される何らかのデータは十分に正確ではないという決定によりトリガされる請求項８記載の装置。
【請求項１４】
前記衝突検出器は、前記パルスの送信により影響される、前記少なくとも１つの位置に関係するサンプルの量を決定するようにさらに構成され、前記少なくとも１つの位置の間に受信される何らかのデータに基づいて、前記別のパルスに対するデータ値を決定しないようにする判断が、前記決定された量に基づいている請求項８記載の装置。
【請求項１５】
ワイヤレス通信のための装置において、
ノードによるパルスの送信は、前記ノードにおいて別のパルスを受信するために規定された複数のＰＰＭの位置のうちの少なくとも１つの位置の間で生じていることを決定する手段と、
前記ＰＰＭ位置のうちの少なくとも別の１つの間に、前記別のパルスを監視する手段と、
前記監視に基づいて、前記ＰＰＭ位置のうちの少なくとも別の１つに対する少なくとも１つのデータ値を決定する手段と、
前記少なくとも１つの位置の間に受信される何らかのデータに基づくのではなく、前記少なくとも１つのデータ値に基づいて、前記別のパルスに対するデータ値を決定する手段とを具備するワイヤレス通信のための装置。
【請求項１６】
前記別のパルスに対するデータ値の決定は、オン−オフキーイング動作を含む請求項１５記載の装置。
【請求項１７】
前記別のパルスに対するデータ値の決定は、前記別のパルスに対するデータ値を前記少なくとも１つのデータ値に等しく設定することを含む請求項１５記載の装置。
【請求項１８】
前記少なくとも１つのデータ値に基づいて、前記少なくとも１つの位置に対する少なくとも１つの他のデータ値を推定する手段をさらに具備し、前記別のパルスに対するデータ値の決定は、前記別のパルスに対するデータ値を、前記推定された少なくとも１つの他のデータ値に等しく設定することを含む請求項１５記載の装置。
【請求項１９】
前記少なくとも１つの位置の間に受信される何らかのデータに基づいて、前記別のパルスに対するデータ値を決定しないようにする判断が、少なくとも１つの適応可能な基準に基づいている請求項１５記載の装置。
【請求項２０】
前記少なくとも１つの位置の間に受信される何らかデータに基づいて、前記別のパルスに対するデータ値を決定しないようにする判断が、前記少なくとも１つの位置の間に前記データが受信されていない、または、前記少なくとも１つの位置の間に受信される何らかのデータは十分に正確ではないという決定によりトリガされる請求項１５記載の装置。
【請求項２１】
前記ノードによるパルスの送信は、少なくとも１つの位置の間で生じていることを決定する手段は、前記パルスの送信により影響される、前記少なくとも１つの位置に関係するサンプルの量を決定するように構成され、
前記少なくとも１つの位置の間に受信される何らかのデータに基づいて、前記別のパルスに対するデータ値を決定しないようにする判断が、前記決定された量に基づいている請求項１５記載の装置。
【請求項２２】
コードによりエンコードされている、ワイヤレス通信のためのコンピュータ読取可能記憶媒体において、
前記コードは、
ノードによるパルスの送信が、前記ノードにおいて別のパルスを受信するために規定された複数のＰＰＭ位置のうちの少なくとも１つの位置の間で生じていることを決定するために実行可能のコードと、
前記ＰＰＭ位置のうちの少なくとも別の１つの間に、前記別のパルスを監視するために実行可能なコードと、
前記監視に基づいて、前記ＰＰＭ位置のうちの少なくとも別の１つに対する少なくとも１つのデータ値を決定するために実行可能なコードと、
前記少なくとも１つの位置の間に受信される何らかのデータに基づくのではなく、前記少なくとも１つのデータ値に基づいて、前記別のパルスに対するデータ値を決定するために実行可能なコードとを含むコンピュータ読取可能記憶媒体。
【請求項２３】
ヘッドセットにおいて、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダと、
前記別のパルスに対するデータ値に基づいて、オーディオ出力を提供するように構成されているトランスデューサとを具備するヘッドセット。
【請求項２４】
ウォッチにおいて、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダと、
前記別のパルスに対するデータ値に基づいて、表示を提供するように構成されているユーザインターフェースとを具備するウォッチ。
【請求項２５】
感知デバイスにおいて、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダと、
前記パルスを介して送信するためのデータを提供するように構成されているセンサとを具備する感知デバイス。
【発明の詳細な説明】
【優先権の主張】
【０００１】
本出願は、２００８年７月２５日に出願され、代理人ドケット第０９０７８４Ｐ１号が割り当てられた、共通に所有されている米国仮特許出願番号第６１／０８３，７８８号に対して利益および優先権を主張し、この開示はここでの参照によりここに組み込まれている。
【背景】
【０００２】
〔分野〕
本出願は、一般的に、ワイヤレス通信システムに関連し、さらに詳細には、受信データに対する値を決定することに関連しているが、これに限定されない。
【０００３】
〔序文〕
ワイヤレス通信システムでは、所定のデバイスは、少なくとも１つの他のデバイスに信号を送信し、少なくとも１つの他のデバイスから信号を受信する。直交接続スキームなしに、これらのデバイスのうちの１つより多いものが同時に送信することがある。従来から、このような事象は衝突として言及されている。一般的に、衝突を避けることが望ましく、その理由は、衝突は、別のデバイスから信号を受信するデバイスの能力に悪影響を及ぼすことがあるからである。例えば、デバイスは、デバイスが送信しているとき、信号を受信できないことがあり、その理由は、この送信はデバイスの受信機を当惑させることがあるからである。
【０００４】
いくつかの通信システムは、衝突を避けるために、システムワイド時分割多重化または周波数分割多重化を用いる。例えば、時分割多重化スキームでは、１つのデバイスは、ある指示されたタイムスロット間に送信し、他のタイムスロット間に受信してもよい。同様に、周波数分割多重化スキームでは、１つのデバイスは、ある指示された周波数を使用して送信し、他の周波数を使用して受信する。
【０００５】
しかしながら、他のタイプの通信システムは、システムワイド時分割多重化および／または周波数分割多重化を用いないことがある。例えば、いくつかのシステムは、低複雑性、低コスト、および低電力デバイスを必要とする。このようなケースでは、時分割多重化スキームにおいて使用されることがあるシステムワイドタイミング同期化に関係する複雑性をサポートすることは望ましくないかもしれない。加えて、ワイドバンド通信システムのようなシステムでは、デバイスが送信のために使用する周波数スペクトルを制限することは実用的ではないかもしれない。したがって、ワイヤレス通信における衝突の影響を緩和するための向上させた技法に対する必要性が存在する。
【概要】
【０００６】
本開示のサンプル側面の概要は以下の通りである。ここでの用語側面への何らかの参照は、本開示の１つ以上の側面に関連していることを理解すべきである。
【０００７】
いくつかの側面において、本開示は、ワイヤレス通信システム中の衝突の結果として生じることがある悪影響を緩和することに関連している。例えば、デバイスが送信している時間の間に、受信データに対する１つ以上の値を規定するように、デバイスを構成していてもよい。言い換えると、デバイスは、これらの時間の間に、実際にはデータを受信しないかもしれないが、その代わりに、これらの時間の間に受信されるだろう何らかのデータが規定された値を有していることを指定してもよい。
【０００８】
このようなデータ値は、さまざまな方法で指定されてもよい。いくつかのケースでは、規定された値は、予め規定された値（例えば、０または他の何らかの値）である。いくつかのケースでは、規定された値は、システム中の１つ以上のノイズレベルおよび／または信号レベルに基づいている。例えば、規定された値は、ノイズフロアを上回るが、公称信号レベルを下回る値として、指定されてもよい。いくつかのケースでは、規定された値は、平均の受信信号値、または、典型的な受信信号値として設定されてもよい。いくつかのケースでは、規定された値は、受信スロットがブロックされている時間の一部分に基づいて重み付けされた値であってもよい。
【０００９】
いくつかのインプリメンテーションでは、送信と一致する、データが受信されることが予期されている時間の期間の一部分に対してのみ、デバイスは受信データ値を規定してもよい。したがって、このケースでは、全送信間隔の間の潜在的な受信データに対する値をむやみに指定するよりむしろ、デバイスは、送信時間の間に実際に生じる、受信データ間隔の一部分に対するデータのみを規定してもよい。
【００１０】
いくつかの側面では、本開示は、インパルスベースの通信システム中での衝突緩和に関連している。例えば、パルスが送信されるときはいつも、デバイスは、実際の受信データを使用する代わりに、受信パルスに対する受信データサンプル値（例えば、受信パルスのサンプル）を規定してもよい。
【００１１】
いくつかの側面では、本開示は、ハイブリッドオン−オフキーイング（“ＯＯＫ”）スキームに関連している。例えば、パルス位置変調（“ＰＰＭ”）システムでは、受信データに対する規定されたパルス位置のうちの１つが送信パルスと一致する場合に、そのパルス位置に対する受信データは、無視してもよい。その代わり、他のパルス位置に対してＯＯＫベースのテストを使用して、最終データ値を決定してもよい。
【００１２】
いくつかの側面では、パルス位置変調トランシーバは、少なくとも１つのストリームを受信している間に、少なくとも１つの送信ストリームをサポートする。ここで、例えば、クロック非同期および／またはランダム時間ホッピングが原因で、送信および受信は衝突することがある。衝突を回避できない事象では、ここでの教示の使用を通して、データ受信における低下を緩和してもよい。このように、受信の間に、複数の送信に適応してもよい。ここでの教示は、スライサーベースのトランシーバ（例えば、スライサーベースの復調アーキテクチャ）および他の受信機技術に対して適用してもよい。
【図面の簡単な説明】
【００１３】
詳細な説明、および、後続する追加した特許請求の範囲中で、ならびに、添付した図面中で、開示の、これらの側面または他のサンプル側面が記述されている。
【図１】図１は、２つ以上のワイヤレスノードを備えている通信システムのいくつかのサンプル側面の簡略化したブロックダイヤグラムである。
【図２】図２は、サンプル送信および受信タイミングの簡略化されたダイヤグラムである。
【図３】図３は、いくつかのサンプル衝突緩和動作のフローチャートである。
【図４】図４は、受信チェーンのいくつかのサンプル側面の簡略化されたブロックダイヤグラムである。
【図５】図５は、受信データに対する１つ以上の値を規定するためのサンプル技法を図示している簡略化されたダイヤグラムである。
【図６】図６は、受信データに対する１つ以上の値を規定するためのサンプル技法を図示している簡略化されたダイヤグラムである。
【図７】図７は、受信データに対する１つ以上の値を規定するためのサンプル技法を図示している簡略化されたダイヤグラムである。
【図８】図８は、サンプルハイブリッドＰＰＭ−ＯＯＫ動作を説明している簡略化されたダイヤグラムである。
【図９】図９は、ハイブリッドＰＰＭ−ＯＯＫに関連しているいくつかのサンプル動作のフローチャートである。
【図１０】図１０は、通信コンポーネントのいくつかのサンプル側面の簡略化されたブロックダイヤグラムである。
【図１１】図１１は、ここで教示するように受信データ値を決定するように構成されている装置のいくつかのサンプル側面の簡略化されたブロックダイヤグラムである。
【図１２】図１２は、ここで教示するように受信データ値を決定するように構成されている装置のいくつかのサンプル側面の簡略化されたブロックダイヤグラムである。
【００１４】
一般的な実務にしたがって、図面中に図示したさまざまな特徴は、スケーリングされて描かれてはいない。したがって、明確にするために、さまざまな特徴の大きさを、任意に拡張または縮小させているかもしれない。加えて、図面のうちのいくつかは、明確にするために、簡略化されているかもしれない。したがって、図面は、所定の装置（例えば、デバイス）または方法のすべてのコンポーネントを描写していないことがある。最後に、明細書および図面にわたって、同一の参照番号が、同一の特徴を示している。
【詳細な説明】
【００１５】
本開示のうちのさまざまな側面を下記に記述する。ここでの教示を広くさまざまな形態で具現化してもよいこと、および、ここに開示された何らかの特有の構成、機能、または双方が、単に代表的なものに過ぎないことは、明らかであるはずである。ここでの教示に基づくと、ここで開示した側面は、他の何らかの側面から独立して実現してもよく、これらの側面のうちの２つ以上のものを、さまざまな方法で組み合わせてもよいことを、当事者は正しく認識すべきである。例えば、ここに述べる任意の数の側面を使用して、装置を実行してもよく、または、方法を実践してもよい。加えて、ここに述べる１つ以上の側面に加えて、または、ここに述べる１つ以上の側面以外の、他の構造、機能、または構造および機能を使用して、このような装置を実行してもよく、あるいは、このような方法を実践してもよい。さらに、１つの側面は、特許請求の範囲のうちの少なくとも１つのエレメントを含んでいる。上記のもののうちの例として、いくつかの側面では、ワイヤレス通信の方法は、時間期間の間にパルスを送信することと、その時間期間の間に受信されるように予期されているデータに対する少なくとも１つの値を指定することとを含む。加えて、いくつかの側面では、少なくとも１つの値は、少なくとも１つの予め規定された値を含む。
【００１６】
図１は、ワイヤレスノード１０２および１０４（例えば、ワイヤレスデバイス）を含む通信システム１００のサンプル側面を図示している。システム１００中の１つ以上のノードにデータを送信するために、および、システム１００中の１つ以上のノードからデータを受信するために、ノード１０２および１０４は、それぞれ、トランシーバ１０６および１０８を備えている。ここで記述するコンポーネントに類似するコンポーネントも、システム１００中の（示していない）他のノード中に組み込んでもよいことを正しく認識すべきである。
【００１７】
説明目的のために、開示のさまざまな側面は、ＰＰＭを用いるインパルスベースの通信システムの文脈中で説明する。ここで、各ノードは、一連のＰＰＭパルスを送信および受信するように構成されている。いくつかの側面では、このような通信システムは、ノードがウルトラ−ワイドバンド（“ＵＷＢ”）パルスを送信および受信する、ＵＷＢシステムを含む。しかしながら、他のタイプの、通信システム、変調スキーム、周波数帯域、およびシグナリング方法に、ここでの教示は適用可能であることを正しく認識すべきである。
【００１８】
送信機１１０および１１２がパルスを送信するときと、受信機１１４および１１６がパルスを監視するときに、制御するために、トランシーバ１０６および１０８は、それぞれ、パルス送信および受信制御装置１１８および１２０を備える。図２は、簡略化した態様で、ノード（例えば、ノード１０２）に対する、サンプル送信パルス２０２および受信パルス２０４を図示している。ここで、所定のトランシーバ（例えば、トランシーバ１０６）は、少なくとも１つのストリームを受信する間に、少なくとも１つの送信ストリームをサポートしてもよいことを正しく認識するだろう。例えば、ノードは、一連のパルス２０４を介してパケットを受信すると同時に、その間に、一連のパルス２０２を介してパケットを送ってもよい。図２で示しているように、インパルスベースのシステムでは、ノードは、パルス送信間に１つ以上のパルスを受信してもよく、逆もまた同じである。
【００１９】
いくつかのインプリメンテーションでは、ノードは、時間ホッピングスキームを用いて、パルスを送信する時間を変化させる。ここで、ＰＰＭスキームの各位置に対して、１組の候補時間ホッピングパルス位置を規定する。例えば、６４０ｎｓごとに１度の公称レートにおいて、１つのシンボルを送信する、４進法ＰＰＭスキームでは、第１の１６０ｎｓ期間の間の送信は、“００”の値に対応してもよく、第２の１６０ｎｓ期間の間の送信は、“０１”の値に対応してもよく、第３の１６０ｎｓ期間の間の送信は、“１１”の値に対応してもよい一方で、第４の１６０ｎｓ期間の間の送信は、“１０”の値に対応してもよい。これらのＰＰＭ位置のそれぞれに対して、いくつかの（例えば、１６個の）時間ホッピングパルス位置を規定する（例えば、“００”ＰＰＭ位置に対して、１６個の１０ｎｓ位置など）。所定のパルス送信のために使用する特定の時間ホッピングパルス位置は、その後、時間ホッピングシーケンスに基づいて決定される。
【００２０】
図２中のパルス２０２Ａおよび２０４Ａにより表したように、ノードにおいてパルス２０４Ａが受信される時間の間に、パルス２０２Ａのうちの少なくとも一部分がノードにより送信されることにより、時間的に何らかのポイントで衝突が生じるかもしれない。例えば、パルス２０２および２０４を送信したノード間のクロック非同期が原因で、ならびに／あるいは、パルス２０２および２０４を送信したノードにより用いられるランダム時間ホッピングが原因で、このような衝突が生じることがある。
【００２１】
このような衝突を完全に解決することは可能ではないかもしれないが、ここでの教示を用いて、これらの衝突により生じることがあるデータ誤りを緩和してもよい。例えば、ノード１０２および１０４（例えば、図１中に示したトランシーバ１０６および１０８）は、それぞれ、パルス衝突緩和制御装置１２２および１２４を備えていてもよい。（例えば、対応するノードがいつ送信するか、および、オプション的にはいつ受信するのかを決定することにより）潜在的な衝突時間を識別するように、および、これらの時間の間の何らかの潜在的な衝突の影響を緩和するために受信データ処理動作を適応するように、パルス衝突緩和制御装置１２２および１２４は構成されている。
【００２２】
いくつかの側面では、送信があるときはいつも、同時での受信を中断するように、送信は受信より高い優先度が与えられている。局所的なトランシーバは、自己がとるアクションを十分に分かっており、それゆえ、より効率的に衝突に対処することができるので、優先度はこのように設定することができる。対照的に、受信に優先度が与えられた場合には、遠隔トランシーバは、送信が干渉を受けている（例えば、送信機により中断されている）か否かを知らないかもしれない。結果として、遠隔トランシーバが衝突に対処することがより難しいことがある。
【００２３】
下記でさらに詳細に記述するように、いくつかの側面では、（例えば、非データ値を使用して、関係する受信サンプルを消去として単にマークすることとは反対に）、衝突が生じる時間の期間に対する受信データ値を規定することを、衝突緩和は伴ってもよい。ここで、このような時間期間の間に受信されることが予期されているデータを、予め規定された値（例えば、０）に、または、システム中のノイズレベルおよび／または信号レベルに基づいている値に、設定してもよい（例えば、９個の受信サンプルごとのうちの１個を“１”に設定し、残りのサンプルを“０”に設定する）。例えば、１ビットのサンプルを使用するインプリメンテーションでは、受信されることが予期されているデータは、“０”の値に設定してもよく、あるいは、１組のサンプル（例えば、９個のサンプル）のうちのある数のサンプル（例えば、１個のサンプル）を“１”に設定し、１組中の残りのサンプルを“０”に設定するように値を設定してもよい。各サンプルに対して４ビットのデータ値を使用するインプリメンテーションでは、受信されることが予期されているデータに対して、ビットのすべてを０に設定してもよく、または、特有のデータパターンに基づいて設定してもよい（例えば、有限数のサンプルを“００１０”の値に設定し、サンプルのうちの残りを０に設定する）。加えて、いくつかのケースでは、ハイブリッドＯＯＫスキームを用いて、受信データ値を規定してもよい。所定のノードへの送信の受信に関係する信号対ノイズ比（“ＳＮＲ”）をわずかに増加させるだけで、別のノードがその所定のノードへ送信しているときには、その所定のノードによる送信は、これらの技法の使用を通して対処されてもよい。便宜のため、後続する例は、１ビットのサンプルを使用するインプリメンテーションを説明している。しかしながら、ここでの教示は他のタイプのサンプルにも適用可能であることを正しく認識すべきである。
【００２４】
これから、本開示のこれらの側面および他の側面を、図３のフローチャートに関連してさらに詳細に記述する。便宜のため、コンポーネントにより実行する、図４中に描写しているようなトランシーバの受信チェーン４００として、図３の動作（または、ここで論じる、あるいは、教示する他の何らかの動作）を記述する。しかしながら、他のタイプのコンポーネントおよび受信機により、これらの動作を実行してもよいことを正しく認識すべきである。加えて、所定のインプリメンテーションに、異なる数のコンポーネントを用いてもよい。さらに、ここに記述する動作のうちの１つ以上のものを、所定のインプリメンテーション中で用いないこともある。
【００２５】
いくつかの側面では、図４のコンポーネントは、図１のトランシーバコンポーネントのうちの１つ以上のものに対応していてもよい。例えば、受信チェーン４００は、トランシーバ１０６中で、および、トランシーバ１０８中で実行してもよい。
【００２６】
簡単に説明すると、受信チェーン４００は、アンテナ４０２において信号を受信し、信号を処理して、出力データ４２０を提供する。ここで、アンテナ４０２から受信した信号は、初め、増幅器およびフィルタコンポーネント４０４により処理される。増幅器およびフィルタコンポーネント４０４は、例えば、低ノイズ増幅器と、その後に続くバンドパスフィルタと、その後に続く平方器と、その後に続くパスフィルタと、その後に続く可変利得増幅器とを具備していてもよい。
【００２７】
増幅器およびフィルタコンポーネント４０４の出力は、サンプラー４０６に提供される。サンプラー４０６はさまざまな形態をとってもよい。例えば、いくつかのインプリメンテーションでは、サンプラー４０６はスライサーを具備する。いくつかのインプリメンテーションでは、サンプラー４０６はアナログデジタルコンバータを具備する。
【００２８】
サンプラー４０６の出力は、受信データ指定器４０８に提供される。下記でより詳細に記述するように、ここでの教示にしたがって、受信データ指定器４０８は、規定されたデータを受信データストリーム中に挿入してもよい。いくつかのケースでは、受信データ指定器４０８（および、オプション的には１つ以上の他の関連するコンポーネント）のうちの少なくともいくつかの機能性は、サンプラー４０６中で、および／または、他の何らかのコンポーネント中で実行してもよい。
【００２９】
受信データ指定器４０８の出力は、復調器４１０およびデコーダ４１２に提供されて、出力データ４２０を提供する。例えば、デコーダ４１２は、ビタビおよび／またはリードソロモン処理を実行して、出力データ４２０を提供してもよい。
【００３０】
これから図３を参照すると、ブロック３０２により表しているように、衝突（例えば、実際の衝突または潜在的な衝突）の事象において、受信データに対して使用される少なくとも１つの値を規定する。このような値は、さまざまな方法で規定される。
【００３１】
いくつかのインプリメンテーションでは、値は（または、複数の値は）、予め規定されている。例えば、所定のシステム中に配備されているすべてのノードに対して、特定の値（例えば、０）が規定されていてもよい。予め規定された値は、（例えば、受信データ値決定器４１８の動作により）各ノードに提供され、（例えば、規定された値ブロック４１６により表されるように）局所的なメモリ中に記憶されてもよい。例えば、所定のノードは、この値によりプログラミングされてもよく、また、ノードが別のノードに関係するとき、ノードは別のノードからこの値を受信してもよい。
【００３２】
いくつかのインプリメンテーションでは、システム中のノイズおよび／または信号レベルに基づいて、１つ以上の値が決定される。例えば、１ビットのサンプラー（例えば、スライサーまたはアナログデジタルコンバータ）を使用するインプリメンテーション中では、通信システム中のノイズに関係する所定の組のサンプル（例えば、１００個のサンプル）中に、“１”の値を平均で持つサンプルの数と、“０”の値を平均で持つサンプルの数とに関しての決定がなされてもよい。代替的に、または、追加的に、通信システム中の受信データ信号に関係する所定の組のサンプル中に、“１”の値を平均で持つサンプルの数と、“０”の値を平均で持つサンプルの数とに関しての決定がなされてもよい。この決定に基づいて、１組の値が規定されてもよく、実際の受信サンプル値の代わりに、これらの値を使用してもよい。例えば、所定のチャネル上に送信がない（例えば、受信チェーン４００がノイズのみを受信している）ときに、サンプラー４０６の出力は、９％の“１”および９１％の“０”であってもよい。逆に、チャンネル上に送信がある（受信チェーン４００がパルスを受信している）ときに、サンプラー４０６の出力は、２０％の“１”および８０％の“０”であってもよい。このようなケースでは、規定された組の値は、これらの値間に入っている“１”の量に対応していてもよい。例えば、１５％の“１”が選択された場合に、この１組の値は、１組の７個のサンプル値として規定されてもよく、ここで、サンプルのうちの１個は“１”の値を持ち、残りのサンプルは“０”の値を持つ。
【００３３】
上記の決定は、さまざまな方法でなされてもよい。例えば、実験的なデータに基づいて（例えば、時間の期間を通してサンプルを収集することにより）、推定に基づいて、または、他の何らかの基準または公式に基づいて、値を決定してもよい。値は、システム中のノードのすべてのものに対して規定されてもよく、所定の組のノード（例えば、関係するノード）に対して規定されてもよく、または、各ノードに対して個々に規定されてもよい。いくつかのインプリメンテーションでは、所定のノード（例えば、受信データ値決定器４１８）は、（例えば、受信チェーン４００の他のコンポーネントとともに協働して、受信信号を解析することにより）これ自体上で値を決定してもよい。
【００３４】
いくつかのインプリメンテーションでは、規定された値（例えば、受信スロットに対して規定されている“１”の数）は、経時的に適応されてもよい。例えば、現在のチャネル条件、データ誤りテストの結果、測定ノイズレベル、選択無線周波数チャネル、または、他の何らかの条件または基準のうちの、少なくとも１つに基づいて、所定の値が決定されてもよい。このような条件は、それゆえ、（例えば、受信機においてデータ誤差レートテストを行うことにより）経時的に監視されてもよく、条件が変更する場合には、規定された値も同様に変更される。上記で論じたような類似した態様で、システム中のノードのすべてのものに対して値が適用されてもよく、所定の組のノードに対して適用されてもよく、または、各ノードに対して個々に適用されてもよい。例えば、所定のノード（例えば、受信データ値決定器４１８）は、これが使用する値および／または他のノードが使用する値を適応するための１つ以上の条件を監視してもよい。規定された値の適応はマルチレベルケースに一般化してもよい。例えば、いくつかのサンプル（例えば、データスライス）は“１”の値に設定してもよく、いくつかのサンプルは“０”の値に設定してもよく、残りは“−１”の値に設定してもよい。ここで、“−１”の値が使用されるか否かに関する判断は適応可能である。加えて、これらの値の割り振り（例えば、“１”または“０”の値に設定されるサンプルの数）は適応可能である。
【００３５】
図３のブロック３０４により表しているように、時間的に何らかのポイントにおいて、ノードは送信および受信動作を同時行う。上記で論じたように、ノードの送信機は、送信ホッピングシーケンスにしたがってパルスを送信してもよく、受信チェーン４００は、受信ホッピングシーケンスにしたがって、受信パルスを監視するように構成してもよい。ここで、低電力アプリケーションでは、パルスが送信されていないときに、または、パルスが受信されることが予期されていないときに、送信機および／または受信チェーン４００のうちの１つ以上のコンポーネントは、低電力モードである（例えば、電源切断されている）ように構成してもよい。
【００３６】
ブロック３０６により表しているように、ノード（例えば、受信データ指定器４０８）は、ノードが送信しているときに、受信データに対して少なくとも１つの値を指定する。例えば、受信データ指定器４０８は、（例えば、規定された値または複数の規定された値を受信バッファ中に挿入することにより）、１つ以上の規定された値を受信データストリーム中に挿入してもよい。
【００３７】
ここで、ノード（例えば、衝突検出器４１４）は、送信機がパルスを送信する間の時間の期間を決定し、受信データ指定器４０８にこの時間期間の表示を提供する。例えば、図３中で示しているように、衝突検出器４１４は、送信タイミングの表示を、ノードに対する送信機から受信してもよい。ここで、送信時間は、送信の実際の時間とともに、いくつかのケースでは、パルスを送信する前に送信機をイネーブルすること（例えば、電力増幅器に電源投入すること）、および／または、パルスを送信した後に送信機をディセーブルすることに関係する時間を含んでもよい。この時間の期間全体は、トランシーバの所要時間として言及されることがある。いくつかの側面では、この所要時間は、送信関連動作により受信に悪影響が及ぼされることがある何らかの時間の期間に関連することがある。
【００３８】
下記でさらに詳細に記述するように、いくつかのインプリメンテーションでは、衝突検出器４１４は、予期されている受信タイミング（例えば、受信ホッピングシーケンスにしたがった受信パルスが予期されている時間期間）の表示を受信してもよい。例えば、受信機が受信信号タイミングを獲得している場合に、このような情報が利用可能かもしれない。これらのインプリメンテーションでは、（例えば、予期されている受信パルスに対応する）受信時間期間が、（例えば、予期されている送信パルスに、および、オプション的には、他の所要期間間隔に対応する）送信時間期間に少なくとも部分的にオーバーラップするオーバーラップ時間期間を、衝突検出器４１４は決定してもよく、この情報を受信データ指定器４０８に提供してもよい。
【００３９】
送信および受信衝突を取り扱うための３つのサンプルスキームを、図５、６、および７を参照して、これから記述する。いくつかの側面では、これらのスキームは単独で、または、組み合わせで使用してもよい。
【００４０】
図５は、パルスの送信に時間的に一致する受信サンプル値が“０”の値に設定されているスキームに関連する。この例では、２個の送信パルス５０２および５０４と、１個の受信パルス５０６とを描写している。ライン５０８は、１ビットのサンプルに対する“０”レベルと“１”レベルとの間を識別するためのしきい値レベルを表している。
【００４１】
図５で示しているように、このスキームでは、送信パルスにより影響されるサンプルのすべてが０としてマークされている。例えば、送信パルス５０２の間に生じる１組の受信サンプル５１０の各サンプルは、“０”の値になるように指定されている。加えて、送信パルス５０４の間に生じる１組の受信サンプル５１２の各サンプルは、“０”の値になるように指定されている。ここで、サンプル５１２は、予想されている受信パルス５０６に関係する１組のサンプル５１４のうちの（サンプル番号１ないし４と指示された）最初の４個のサンプルを含んでいることに気付くだろう。サンプル番号４が示すように、送信パルスが存在しなかったとした場合に、受信された信号がしきい値５０８より上であったとしても、このサンプルは“０”としてマークされている。
【００４２】
パルスの送信に時間的に対応する１組の受信サンプル値において、送信パルスの下のある数のサンプルは、１になるようにマークされ、その他のものは０になるようにマークされているスキームに、図６は関連している。この例では、２個の送信パルス６０２および６０４と、１個の受信パルス６０６とを描写している。ライン６０８は、１ビットのサンプルに対する“０”レベルと“１”レベルとの間を識別するためのしきい値レベルを表している。
【００４３】
図６で示すように、このスキームでは、規定されたサンプル値のうちの１個は、“１”の値に設定され、残りのサンプル値は、“０”の値に設定されている。さらに詳細には、送信パルス６０２および６０４のそれぞれの間に、１個のサンプル（例えば、“Ａ”によりマークされているような最初のサンプル）は、“１”としてマークされている一方で、残りのサンプルは、“０”としてマークされている。再度説明すると、パルス送信の間に生じるサンプルに対する値は、規定された値（例えば、予め規定された値）に設定されることを、サンプル番号４は図示している。さらに詳細には、送信パルスが存在しなかったとした場合に、受信された信号がしきい値６０８より上であったとしても、このサンプルは“０”としてマークされる。
【００４４】
異なるインプリメンテーションでは、異なる数のサンプル値が“１”の値として設定されてもよいことを正しく認識すべきである。いくつかのケースでは、ノイズのみにより起こる“１”の割合、および／または、（例えば、上記で論じたように）、信号のみにより起こる“１”の割合に基づいて、“１”の割合を規定してもよい。前者のケースの例として、チャネル上のノイズをエミュレートするように、規定されたデータ値は選択してもよい。
【００４５】
図５および６により図示しているように、上記の技法は、受信パルス全体より少ないパルスが送信により影響されるケースに適用可能である。ノードは、パルスの受信の間に、もしあれば、送信により影響されるサンプルの数を決定してもよい。何らかの影響されたサンプルが存在する事象では、ノードは、欠落しているサンプルまたは破損したサンプルに対して、規定されたパターン（例えば、予め規定されたパターン）を適用してもよい。例えば、破損したサンプルまたは欠落している３個のサンプルがある場合に、ノードは、これらのサンプルを｛０００｝の値に設定してもよく、ここで、各“０”はサンプルのうちの１個に対応している。その一方で、破損したサンプルまたは欠落している４個のサンプルがある場合に、ノードは、これらのサンプルを｛１０００｝の値に設定してもよい。したがって、いくつかの側面では、時間的に所定のポイントにおいて使用される規定された値は、パルス送信により影響されるサンプルの量に基づいていてもよい。
【００４６】
図７は、受信パルスに対応し、パルスの送信にも時間的に対応しているサンプルを規定された値に設定しているスキームに関連している。２個の送信パルス７０２および７０４と、１個の受信パルス７０６とを示している。ライン７０８は、しきい値レベルを表している。
【００４７】
このスキームでは、受信パルス７０６の下のサンプルの中で、送信パルス７０４により影響されるサンプルのうちの１個以上のものが“１”になるようにマークされており、送信パルスにより影響される他の何らかのサンプルが“０”になるようにマークされている。例えば、図７中の送信パルス７０４により影響される（予期されている受信パルス７０６に関係する）サンプル番号１ないし４の中で、これらのサンプルの４分の１（例えば、サンプル番号１）を“１”としてマークしており、他のサンプルのそれぞれを“０”としてマークしている。さらにまた、異なるケースでは、他の規定された値（例えば、“１”と異なる数）を使用してもよいことを正しく認識すべきである。
【００４８】
また、図７のスキームでは、予期されている受信パルスの間に起こらない何らかのサンプルは、無視してもよく、または、規定された値に設定してもよい。後者のケースの例として、図７に示しているように、１組のサンプル７１０の各サンプルと、サンプルの組７１２の最初の４個のサンプルとを“０”に設定してもよい。
【００４９】
図６のスキームと図７のスキームとの間の１つの違いは、図６のスキームは、送信中心であることであり、ここで、各送信パルスは、他の何らかのパルスにかかわらず、それ自体のサンプルをマークする。逆に、図７のスキームは、受信中心であり、ここで、受信パルスの下のサンプルのみを考慮している。
【００５０】
上記に記述した３つのスキームは、複雑性および性能のトレードオフを提供してもよい。いくつかの側面では、図５のスキームは最も単純であるかもしれない。したがって、このようなスキームは、受信パルス位置が不明である場合における獲得に対して特に適しているかもしれない。図７のスキームはより良い性能を提供するかもしれない。したがって、いくつかの側面では、このスキームは、タイミングを獲得した後のデータ復調に対して使用してもよい。
【００５１】
好都合にも、提案したスキームは、既存のトランシーバ設計中に一体化することが容易である。したがって、最小の複雑性（例えば、図５のスキーム）からより適度な複雑性（例えば、図７のスキーム）により、複数の送信ストリームを取り扱うように、このようなスキームを用いてもよい。例えば、トランシーバが１個以上のストリームを受信するときに、１個の、２個の、３個の、またはそれ以上の、送信ストリームを同時にサポートするために、ここで記述した教示を使用してもよい。
【００５２】
再度図３を参照すると、ブロック３０８により表しているように、ノード（例えば、復調器４１０およびデコーダ４１２）は、受信データストリームを処理して、受信データ値（例えば、出力データ４２０）を決定する。いくつかの側面では、これは、サンプラー４０６により提供された実際のサンプリングされたデータ値とともに、ブロック３０６において提供されるような指定されたデータ値を処理することを含むことがある。例えば、図５では、“１”または“０”の値がパルス５０６において受信されているか否かを決定するために、サンプル番号１ないし８に関係する値のそれぞれを考慮してもよい。これは、例えば、（例えば、“０”ＰＰＭパルス位置に対応している）パルス５０６に関係するサンプルの大きさを、別の時間において獲得する（例えば、“１”ＰＭＭパルス位置に対応している）何らかのサンプルの大きさと、デコーダ４１２が比較することを含んでもよい。したがって、いくつかのケースでは、デコーダ４１２は、少なくとも１つの規定された受信データ値に少なくとも部分的に基づいて、１つのＰＰＭ位置に関係する少なくとも１つの値を決定してもよい。加えて、デコーダ４１２は、１つ以上のサンプル値に基づいて、別のＰＰＭ位置に関係する少なくとも１つの他の値を決定してもよい。デコーダ４１２は、その後、これらのＰＰＭ位置に関係する値に基づいて、（例えば、１つのＰＰＭ位置に対する値を、他のＰＰＭ位置に対する値と比較することにより）、ＰＰＭデータ値を決定してもよい。
【００５３】
いくつかの側面では、指定されたデータ値は、所定のＰＰＭパルスに対する値を決定するために使用するしきい値に対応していてもよい。これは、例えば、典型的なノイズレベルより大きいが、公称（例えば、典型的な）信号レベルを下回るオーバーオール値を有する１組のサンプル値に、規定された値が対応している事象におけるケースである。ここで、（１つのＰＰＭパルス位置に対する他の実際のサンプル値とオプション的に組み合わされる）１つのＰＰＭパルス位置に対応している規定されたデータ値は、別のＰＰＭパルス位置に対して獲得したサンプル値と比較するためのしきい値として機能してもよい。
【００５４】
したがって、いくつかの側面では、指定されたデータ値は、ハイブリッドＯＯＫスキームに関連して、しきい値として使用してもよい。例えば、所定のＰＰＭパルス位置に関係するサンプルが信頼できないと決定される場合に、ＰＰＭパルスに対する最終的な出力データ値を決定するために、別のＰＰＭパルス位置においてこのしきい値を使用するＯＯＫベースのテストをデコーダ４１４は用いてもよい。
【００５５】
説明目的のために、図８は、２進法ＰＰＭのケースに対して、ハイブリッドＯＯＫスキームがどのように用いられるかを描写している。ハイブリッドＯＯＫスキームはまた、他のｎ進法ＰＰＭスキーム中で用いてもよいとともに、他の変調スキーム中で用いてもよいことを正しく認識すべきである。
【００５６】
図８の左側は、２進法ＰＰＭ信号に対して２つの位置が規定されていることを図示している。この例では、パルスが第１のパルス位置で現れているが、第２のパルス位置では現れていない場合には、“０”の値を示している。逆に、パルスが第２のパルス位置で現れているが、第１のパルス位置では現れていない場合には、“１”の値を示している。
【００５７】
図８の右側は、ＰＰＭ位置のうちの１つ（この例では、“０”ＰＰＭ位置）に関係する信号情報が破損している場合に、依然として、もう一方のＰＰＭ位置（この例では“１”ＰＰＭ位置）にＯＯＫベースのテストを適用することにより、出力データ値を決定してもよいことを図示している。例えば、（例えば、サンプリングされた信号としきい値との比較に基づいて）、“１”ＰＰＭ位置中で信号の存在が検出された場合に、出力データに対して、“１”の値を示している。
【００５８】
逆に、“１”ＰＰＭ位置中で信号の存在が検出されなかった場合に、データに対して、“０”の値を示している。言い換えると、ノード（例えば、受信データ指定器４０８）は、“１”ＰＰＭ位置の値（すなわち、パルスの欠如）に基づいて、“０”ＰＰＭ位置の値（例えば、この位置におけるパルスの存在）を推定してもよい。ノード（例えば、デコーダ４１２）は、その後、ＰＰＭデータに対して示される値を、この推定する値（すなわち、“０”）に設定してもよい。
【００５９】
これから、図９に関連して、サンプルハイブリッドＯＯＫ動作をさらに詳細に記述する。この例では、ハイブリッドＯＯＫスキーム（例えば、ハイブリッドＯＯＫトリガ条件）を使用するというノードによる判断は、潜在的な衝突条件または実際の衝突条件が存在するか否かに基づいている。しかしながら、ハイブリッドＯＯＫ動作は、他の基準（例えば、他の何らかの理由のために、受信信号情報は利用不可能または信頼できないという決定）に基づいてトリガしてもよいことを正しく認識すべきである。
【００６０】
図９のブロック９０２により表しているように、時間的に何らかのポイントにおいて、ノード（例えば、衝突検出器４１４）は、所定の受信ＰＰＭ位置（例えば、図８の“０”ＰＰＭ位置）の間に送信が生じることを決定する。例えば、上記で言及したように、送信機からのパルス送信のタイミングと、受信パルスの予期されているタイミングとを示す情報を、衝突検出器４１４は受信してもよい。いくつかの側面では、この情報は、時間ホッピングシーケンスに基づいていてもよい。
【００６１】
ブロック９０４により表しているように、ノード（例えば、デコーダ４１２）は、識別されたＰＰＭ位置に関係する受信データを使用しないことを選択してもよい。いくつかのケースでは、デコーダ４１２は、識別されたＰＰＭ位置の間にデータが受信されていないことを決定してもよい。例えば、パルスが送信されているときに、受信機は電源切断されているかもしれない。代替的に、デコーダ４１２は、このＰＰＭ位置の間に受信された何らかのデータは十分に正確ではないということを決定してもよい。例えば、送信パルスとの衝突の結果として、受信データが破損していることが仮定されるかもしれない。
【００６２】
ブロック９０６により表しているように、ノードは、別のＰＰＭ位置に対するデータ値を決定する。例えば、サンプラー４０６は、図８の“１”ＰＰＭ位置に対応しているサンプル値を取得してもよい。
【００６３】
ブロック９０８により表しているように、いくつかのケースでは、（例えば、ブロック９０６において取得したような）１つのＰＰＭ位置に関係するデータ値に基づいて、しかしながら、別のＰＰＭ位置（例えば、図８の“０”ＰＰＭ位置）の間に受信した何らかのデータに基づかずに、ノード（例えば、デコーダ４１２）は、最終受信データ値を決定してもよい。例えば、図８の“１”ＰＰＭ位置の間に有効な値が受信されたか否かを決定するために、ブロック９０６において取得したデータ値を、規定されたデータ値または（例えば、いくつかのケースでは、規定されたデータ値に基づいていてもよい）しきい値と、比較してもよい。例として、パルスが送信されたときに受信されることが予期されていたデータに対する１つ以上の規定されたデータ値を提供するために、図３に関連して上記で記述した技法を用いてもよい。このケースでは、“１”ＰＰＭ位置の間に有効な信号が受信されたか否かを決定するために、ブロック９０６において獲得されたサンプルを、規定されたデータ値と、比較してもよい。例えば、“１”の値を持つ獲得したサンプルの数が、“１”の値を持つ規定されたデータサンプル値の数を超える場合に、デコーダ４１２は、“１”ＰＰＭ位置でパルスが受信されたと考えてもよい。
【００６４】
ＰＰＭとＯＯＫとの間の移行の特有の例は以下の通りである。送信停止により、スロットのある割合（ｘ％）が妨げられていると仮定する。受信側では、予め決定されたレベルに基づいている妨げられたエリアに対して、および、実際の受信レベルにある妨げられていないエリアに対して、エネルギー（例えば、アナログデジタルコンバータビットか、実際の電荷）を累算する。ここで、予め決定されたレベルは、平均的な典型的受信信号レベル、しきい値レベル、平均ノイズレベル、平均ノイズレベルのスケーリング、または他の何らかの適した値であってもよい。２進法ＰＰＭのケースに対して、ｘ％が、２個のスロットのうちの最初の１個において１００％である場合には、プロセスは、効果的に第２のスロットに対してＯＯＫ動作になる。ｘ％が、双方のスロットにおいて０％である場合には、プロセスはＰＰＭである。ｘ％が、０％と１００％の間である場合には、プロセスは、ＰＰＭとＯＯＫとの間の重み付けされた平均に関与していてもよい。
【００６５】
上記で言及したように、ハイブリッドＯＯＫスキームを他のｎ進法ＰＰＭスキームとともに用いてもよい。このようなケースでは、ノード（例えば、デコーダ４１２）は、（例えば、受信データが規定されていたＰＰＭ位置に関係するサンプル値を含む）各ＰＰＭ位置に関係する“１”サンプル値の数を計算してもよい。ノード（例えば、デコーダ４１２）は、その後、どのＰＰＭ位置がパルスを持つかを決定（例えば、推定）するために、どのＰＰＭ位置がより多い数の“１”サンプル値を持つかを決定する。
【００６６】
いくつかの側面では、通常のＰＰＭ動作からハイブリッドＯＯＫ動作に切り替えるための基準は、動的であってもよい。例えば、指定された数のサンプル（例えば、４個のサンプル）より少ないものが送信により影響される場合には、ノード（例えば、デコーダ４１２）は、（例えば、ここに教示したように受信データ値を規定することに関連して）ＰＰＭを使用し続けることを選択してもよい。逆に、指定された数のサンプル（または、指定された数のサンプルより多いもの）が送信により影響される場合には、ノードはハイブリッドＯＯＫに切り替えることを選択してもよい。
【００６７】
ここでの教示は、少なくとも１つの他のデバイスと通信するためのさまざまなコンポーネントを用いるデバイス中に組み込んでもよい。図１０は、デバイス間の通信を促進するために用いてもよい、いくつかのサンプルコンポーネントを描写している。ここで、第１のデバイス１００２および第２のデバイス１００４は、ワイヤレス通信リンク１００６を介し、適した媒体を通して通信するように適合されている。
【００６８】
初めに、デバイス１００２からデバイス１００４（例えば、リバースリンク）に情報を送信することに関与しているコンポーネントを扱う。送信（“ＴＸ”）データプロセッサ１００８は、データバッファ１０１０または他の何らかの適したコンポーネントからトラフィックデータ（例えば、データパケット）を受け取る。送信データプロセッサ１００８は、選択されたコーディングおよび変調スキームに基づいて、各データパケットを処理（例えば、エンコーディング、インターリーブ、シンボルマッピング）し、データシンボルを提供する。一般的に、データシンボルは、データに対する変調シンボルであり、パイロットシンボルは、（アプリオリで知られている）パイロットに対する変調シンボルである。変調器１０１２は、データシンボルと、パイロットシンボルと、場合によってはリバースリンクに対するシグナリングとを受け取り、変調（例えば、ＯＦＤＭまたは他の何らかの適した変調）、および／または、システムにより指定されるような他の処理を実行し、出力チップのストリームを提供する。送信機（“ＴＭＴＲ”）１０１４は、出力チップストリームを処理（例えば、アナログにコンバート、フィルタリング、増幅、周波数アップコンバート）し、変調信号を発生させる。変調信号は、その後、アンテナ１０１６から送信される。
【００６９】
（デバイス１００４と通信中の他のデバイスからの信号とともに）デバイス１００２により送信される変調信号は、デバイス１００４のアンテナ１０１８により受信される。受信機（“ＲＣＶＲ”）１０２０は、アンテナ１０１８からの受信信号を処理（例えば、調整およびデジタル化）し、受信サンプルを提供する。復調器（“ＤＥＭＯＤ”）１０２２は、受信サンプルを処理（例えば、復調および検出）し、検出データシンボルを提供する。検出データシンボルは、他のデバイスによりデバイス１００４に送信されるデータシンボルのノイズのある推定であってもよい。受信（“ＲＸ”）データプロセッサ１０２４は、検出データシンボルを処理（例えば、シンボルデマッピング、デインターリーブ、デコード）し、各送信デバイス（例えば、デバイス１００２）に関係するデコードされたデータを提供する。
【００７０】
デバイス１００４からデバイス１００２（例えば、フォワードリンク）に情報を送信することに関与しているコンポーネントをこれから扱う。デバイス１００４において、トラフィックデータは、送信（“ＴＸ”）データプロセッサ１０２６により処理され、データシンボルを発生させる。変調器１０２８は、データシンボルと、パイロットシンボルと、フォワードリンクに対するシグナリングとを受け取り、変調（例えば、ＯＦＤＭ、または他の何らかの適した変調）、および／または、他の関連処理を実行し、出力チップストリームを提供する。出力チップストリームは、送信機（“ＴＭＴＲ”）１０３０によりさらに調整され、アンテナ１０１８から送信される。いくつかのインプリメンテーションでは、フォワードリンクに対するシグナリングは、リバースリンク上でデバイス１００４に向けて送信しているすべてのデバイス（例えば、端末）に対して、制御装置１０３２により発生させた、電力制御コマンドおよび（例えば、通信チャネルに関係している）他の情報を含んでいてもよい。
【００７１】
デバイス１００２において、デバイス１００４により送信された変調信号は、アンテナ１０１６により受信され、受信機（“ＲＣＶＲ”）１０３４により調整およびデジタル化されて、検出データシンボルを取得するために、復調器（“ＤＥＭＯＤ”）１０３６により処理される。受信（“ＲＸ”）データプロセッサ１０３８は、検出データシンボルを処理し、デバイス１００２に対するデコードされたデータとフォワードリンクシグナリングとを提供する。制御装置１０４０は、データ送信を制御するために、そして、デバイス１００４へのリバースリンク上の送信電力制御するために、電力制御コマンドおよび他の情報を受け取る。
【００７２】
制御装置１０４０および１０３２は、それぞれ、デバイス１００２およびデバイス１００４のさまざまな動作を命令する。例えば、制御装置は、適切なフィルタを決定し、フィルタについての情報を報告し、フィルタを使用して情報をデコードしてもよい。データメモリ１０４２および１０４４は、それぞれ、プログラムコードと、制御装置１０４０および１０３２により使用されるデータとを記憶してもよい。
【００７３】
図１０はまた、ここで教示するような衝突関連動作を実行する１つ以上のコンポーネントを通信コンポーネントが含んでいてもよいことを図示している。例えば、衝突制御コンポーネント１０４６は、制御装置１０４０、および／または、デバイス１００２の他のコンポーネントと協働して、別のデバイス（例えば、デバイス１００４）からの情報を受信してもよい。同様に、衝突制御コンポーネント１０４８は、制御装置１０３２、および／または、デバイス１００４の他のコンポーネントと協働して、別のデバイス（例えば、デバイス１００２）からの情報を受信してもよい。各デバイス１００２および１００４に対して、記述したコンポーネントのうちの２つ以上ものの機能性を、単一のコンポーネントにより提供してもよいことを正しく認識すべきである。例えば、単一の処理コンポーネントが、衝突制御コンポーネント１０４６および制御装置１０４０の機能性を提供してもよく、単一の処理コンポーネントが、衝突制御コンポーネント１０４８および制御装置１０３２の機能性を提供してもよい。
【００７４】
ワイヤレスデバイスにより送信される信号（例えば、パルス）、または、ワイヤレスデバイスにおいて受信される信号（例えば、パルス）に基づいて、機能を実行するさまざまなコンポーネントを、ワイヤレスデバイスは具備していてもよい。例えば、ワイヤレスヘッドセットが、指定された値および／または決定された値に基づいてオーディオ出力を提供するように適合されているトランスデューサを備えていてもよい。ワイヤレスウォッチが、指定された値および／または決定された値に基づいて表示を提供するように適合されているユーザインターフェースを備えていてもよい。ワイヤレス感知デバイスが、１つ以上のパルスを介しての送信に対するデータを提供するように適合されているセンサを備えていてもよい。
【００７５】
何らかの適したワイヤレス通信技術に基づく、または、そうでなければ、何らかの適したワイヤレス通信技術をサポートする、１つ以上のワイヤレス通信リンクを介して、ワイヤレスデバイスは通信してもよい。例えば、いくつかの側面では、ワイヤレスデバイスは、ネットワークに関係することがある。いくつかの側面では、ウルトラ−ワイドバンド技術または他のいくつかの適した技術を使用して実現される、（例えば、３０メートルのオーダーのワイヤレスカバレッジエリアをサポートしている）パーソナルエリアネットワーク、または、（例えば、１０メートルのオーダーのワイヤレスカバレッジエリアをサポートしている）ボディエリアネットワークを、ネットワークは含んでいてもよい。いくつかの側面では、ネットワークは、ローカルエリアネットワークまたはワイドエリアネットワークを含んでいてもよい。例えば、ＣＤＭＡ、ＴＤＭＡ、ＯＦＤＭ、ＯＦＤＭＡ、ＷｉＭＡＸ、およびＷｉ−Ｆｉ（登録商標）のような、さまざまな、ワイヤレス通信技術やプロトコルや標準規格のうちの１つ以上のものを、ワイヤレスデバイスは、サポートしてもよく、または、そうでなければ、使用してもよい。同様に、さまざまな対応する変調または多重化スキームのうちの１つ以上のものを、ワイヤレスデバイスは、サポートしてもよく、または、そうでなければ、使用してもよい。このように、上記のもの、または、他のワイヤレス通信技術を使用して、１つ以上のワイヤレス通信リンクを介して、確立および通信するのに適切なコンポーネント（例えば、エアインターフェース）を、ワイヤレスデバイスは具備していてもよい。例えば、デバイスは、関係する送信機コンポーネントおよび受信機コンポーネント（例えば、送信機１１０および受信機１１４）を有するワイヤレストランシーバを備えていてもよい。関係する送信機コンポーネントおよび受信機コンポーネントは、ワイヤレス媒体を通した通信を促進するさまざまなコンポーネント（例えば、信号発生器および信号プロセッサ）を備えていてもよい。
【００７６】
いくつかの側面では、ワイヤレスデバイスは、インパルスベースのワイヤレス通信リンクを介して通信してもよい。例えば、インパルスベースのワイヤレス通信リンクは、（例えば、数ナノ秒またはそれより短いオーダーの）相対的に短い長さ、および、相対的に広い帯域幅を持つウルトラ−ワイドバンドパルスを利用してもよい。いくつかの側面では、ウルトラ−ワイドバンドパルスは、ほぼ２０％またはそれより多いオーダーの比帯域幅を持ち、および／または、ほぼ５００ＭＨｚまたはそれより大きいオーダーの帯域幅を有していてもよい。
【００７７】
ここでの教示は、さまざまな装置（例えば、デバイス）中に組み込んでもよい（例えば、さまざまな装置内で実現してもよく、または、さまざまな装置により実行してもよい）。例えば、電話機（例えば、セルラ電話機）中に、パースナルデータアシスタント（“ＰＤＡ”）中に、エンターテイメントデバイス（例えば、音楽またはビデオデバイス）中に、ヘッドセット（例えば、ヘッドフォン、イヤーピースなど）中に、マイクロフォン中に、医療感知デバイス（例えば、バイオメトリックセンサ、心拍数モニター、ペドメーター、ＥＫＧデバイス、スマートバンデージなど）中に、ユーザＩ／Ｏデバイス（例えば、ウォッチ、遠隔制御、照明スイッチ、キーボード、マウスなど）中に、環境感知デバイス（例えば、タイヤ圧力モニター）中に、医療または環境感知デバイスからデータを受信するモニター中に、コンピュータ中に、ポイントオブセールデバイス中に、エンターテイメントデバイス中に、補聴器中に、セットトップボックス中に、または他の何らかの適したデバイス中に、ここで教示した１つ以上の側面は組み込んでもよい。
【００７８】
これらのデバイスは、異なる電力およびデータ要件を持つことがある。いくつかの側面では、ここでの教示は、（例えば、インパルスベースのシグナリングスキームおよび低デューティーサイクルモードの使用を通して）低電力アプリケーションにおける使用に対して適合させてもよく、（例えば、広帯域幅パルスの使用を通して）相対的に高いデータレートを含むさまざまなデータレートをサポートしてもよい。
【００７９】
いくつかの側面では、ワイヤレスデバイスは、通信システムに対するアクセスデバイス（例えば、アクセスポイント）を含んでいてもよい。このようなアクセスデバイスは、例えば、ワイヤードまたはワイヤレス通信リンクを介して、別のネットワーク（例えば、インターネットまたはセルラネットワークのような、ワイドエリアネットワーク）への接続性を提供してもよい。したがって、アクセスデバイスは、別のデバイス（例えば、ワイヤレス局）が、他のネットワークまたは他の何らかの機能性にアクセスすることを可能にしてもよい。加えて、デバイスのうちの１つまたは双方は、ポータブルであってもよく、または、いくつかのケースでは、比較的非ポータブルなものであってもよいことを正しく認識すべきである。また、ワイヤレスデバイスは、非ワイヤレス態様で（例えば、ワイヤード接続を介して）、適切な通信インターフェースを介して、情報を送信および／または受信する能力もあることを正しく認識すべきである。
【００８０】
ここに記述したコンポーネントは、さまざまな方法で実現してもよい。図１１および１２を参照すると、例えば、１つ以上の集積回路（例えば、ＡＳＩＣ）により実現してもよい機能を表している、または、ここで教示したような他の何らかの態様で実現してもよい、相互に関係する一連の機能ブロックとして、装置１１００および１２００が表されている。ここで論じたように、集積回路は、プロセッサ、ソフトウェア、他のコンポーネント、またはこれらの何らかの組み合わせを備えていてもよい。
【００８１】
装置１１００および１２００は、さまざまな図面に関して上記で記述した機能のうちの１つ以上のものを実行してもよい１つ以上のモジュールを含んでいてもよい。例えば、送信するためのＡＳＩＣ１１０２は、例えば、ここで論じたような送信機に対応していてもよい。指定するためのＡＳＩＣ１１０４は、例えば、ここで論じたような受信データ指定器に対応していてもよい。オーバーラップを決定するためのＡＳＩＣ１１０６は、例えば、ここで論じたような衝突検出器に対応していてもよい。少なくとも１つのＰＰＭ位置に対する少なくとも１つのデータ値を決定するためのＡＳＩＣ１１０８は、例えば、ここで論じたようなサンプラーに対応していてもよい。パルスに対するデータ値を決定するためのＡＳＩＣ１１１０は、例えば、ここで論じたようなデコーダに対応していてもよい。使用するためのＡＳＩＣ１１１２は、例えば、ここで論じたようなデコーダに対応していてもよい。ＰＰＭデータ値を決定するためのＡＳＩＣ１１１４は、例えば、ここで論じたようなデコーダに対応していてもよい。適応するためのＡＳＩＣ１１１６は、例えば、ここで論じたようなデータ値決定器に対応していてもよい。受信するためのＡＳＩＣ１１１８は、例えば、ここで論じたような受信機に対応していてもよい。ＰＰＭ位置に対する値を規定するためのＡＳＩＣ１１２０は、例えば、ここで論じたようなデコーダに対応していてもよい。パルス送信を決定するためのＡＳＩＣ１２０２は、例えば、ここで論じたような衝突検出器に対応していてもよい。監視するためのＡＳＩＣ１２０４は、例えば、ここで論じたような受信機に対応していてもよい。少なくとも１つのＰＰＭ位置に対する少なくとも１つのデータ値を決定するためのＡＳＩＣ１２０６は、例えば、ここで論じたサンプラーに対応していてもよい。パルスに対するデータ値を決定するためのＡＳＩＣ１２０８は、例えば、ここで論じたデコーダに対応していてもよい。推定するためのＡＳＩＣ１２１０は、例えば、ここで論じた受信データ指定器に対応してもよい。
【００８２】
先に述べたように、いくつかの側面では、これらのコンポーネントは、適切なプロセッサコンポーネントを通して実現してもよい。いくつかの側面では、これらのプロセッサコンポーネントは、ここで教示したような構造を使用して、少なくとも部分的に実現してもよい。いくつかの側面では、これらのコンポーネントのうちの１つ以上のものの機能性の一部またはすべてを実現するように、プロセッサを適合させてもよい。いくつかの側面では、破線ボックスにより表したコンポーネントのうちの１つ以上のものは、オプション的なものである。
【００８３】
先に述べたように、装置１１００および１２００は、１つ以上の集積回路を備えていてもよい。例えば、いくつかの側面では、単一の集積回路が、図示したコンポーネントのうちの１つ以上のものの機能性を実現してもよい一方で、他の側面では、１つより多い集積回路が、図示したコンポーネントのうちの１つ以上のものの機能性を実現してもよい。
【００８４】
加えて、図１１および１２により表したコンポーネントおよび機能とともに、ここで記述した他のコンポーネントおよび機能は、任意の適した手段を使用して実現してもよい。このような手段はまた、ここで教示した対応する構造を使用して、少なくとも部分的に実現してもよい。例えば、図１１および１２の“のためのＡＳＩＣ”コンポーネントに関連して上記で記述したコンポーネントは、同様に表された“する手段”機能性にも対応していてもよい。したがって、いくつかの側面では、プロセッサコンポーネント、集積回路、またはここで教示した他の適した構造のうちの１つ以上のものを使用して、このような手段のうちの１つ以上のものを実現してもよい。
【００８５】
また、“第１の”や、“第２の”などのような表記を使用する、ここでのエレメントに対する何らかの参照は、一般的に、これらのエレメントの量または順序を制限しないことを理解すべきである。むしろ、これらの表記は、２つ以上のエレメント間で、または、エレメントのインスタンス間で識別する便利な方法としてここで使用している。したがって、第１のエレメントおよび第２のエレメントに対する参照は、２つのエレメントのみをここで用いること、または、いくつかの態様では、第１のエレメントが第２のエレメントに先行しなければならないことを意味してはいない。また、そうではないことが言及されていない限り、１組のエレメントは、１つ以上のエレメントを含んでいてもよい。加えて、説明または特許請求の範囲中で使用する、“Ａ、Ｂ、またはＣのうちの少なくとも１つ”という形態の用語は、“ＡまたはＢまたはＣまたはこれらの何らかの組み合わせ”を意味する。
【００８６】
さまざまな異なる技術および技法のうちの任意のものを使用して、情報および信号を表してもよいことを、当業者は理解するだろう。例えば、上記の説明全体にわたって参照した、データ、命令、コマンド、情報、信号、ビット、シンボル、およびチップは、電圧、電流、電磁波、磁界または磁粒子、光学界または光粒子、あるいはこれらの何らかの組み合わせにより、表してもよい。
【００８７】
ここで開示した側面に関連して記述した、さまざまな例示的な論理ブロック、モジュール、プロセッサ、手段、回路およびアルゴリズムステップは、電子ハードウェア（例えば、ソースコーディングまたは他の何らかの技法を使用するように設計されている、デジタルインプリメンテーション、アナログインプリメンテーション、またはこの２つを組み合わせたもの）、（ここでは、便宜のために、“ソフトウェア”または“ソフトウェアモジュール”として言及することがある）命令を具現化するさまざまな形態のプログラムコードまたは設計コード、あるいは双方の組み合わせたものとして実現してもよいことを、当業者はさらに正しく認識するだろう。ハードウェアおよびソフトウェアのこの互換性を明確に説明するために、さまざまな例示的なコンポーネントや、ブロックや、モジュールや、回路や、ステップを一般的にこれらの機能性に関して上述している。このような機能性をハードウェアあるいはソフトウェアとして実現するか否かは、特定の応用およびシステム全体に課せられた設計の制約に依存する。熟練者は、各特定の応用に対して方法を変化させて、記述した機能性を実現してもよいが、このようなインプリメンテーション決定は、本開示の範囲からの逸脱を生じさせるものとして解釈すべきではない。
【００８８】
ここで開示した側面に関連して記述した、さまざまな例示的な論理的ブロック、モジュール、および回路は、集積回路（“ＩＣ”）、アクセス端末、またはアクセスポイント内で実現してもよく、あるいは、集積回路（“ＩＣ”）、アクセス端末、またはアクセスポイントにより実行してもよい。ＩＣは、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、電気的コンポーネント、光学的コンポーネント、機械的コンポーネント、あるいは、ここで記述した機能を実施するように設計されたこれらの何らかの組み合わせを含んでいてもよく、そして、ＩＣ内に、ＩＣの外部に、または双方に存在するコードまたは命令を実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアを備えた１つ以上のマイクロプロセッサとして、あるいは、このような構成の他の何らかのものとして実現してもよい。
【００８９】
開示した何らかのプロセスにおけるステップの何らかの特有の順序または階層は、サンプルアプローチの例であることを理解すべきである。プロセスにおけるステップの特有の順序または階層は、設計選択に基づいて、本開示の範囲内に維持しながら、再構成してもよいことを理解すべきである。添付した方法の特許請求の範囲は、サンプル順序でさまざまなステップのエレメントを示しており、示している特有な順序または階層に限定されることを意味していない。
【００９０】
ここで開示した側面に関連して記述した方法またはアルゴリズムのステップは、直接、ハードウェアで、プロセッサにより実行されるソフトウェアモジュールで、あるいは、２つの組み合わせで具体化してもよい。（例えば、実行可能な命令、および、関連データを含む）ソフトウェアモジュール、および、他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態のコンピュータ読取可能記憶媒体のような、データメモリに存在していてもよい。サンプル記憶媒体は、プロセッサが記憶媒体から情報（例えば、コード）を読み取り、記憶媒体に情報（例えば、コード）を書き込むことができるように、例えば（ここでは、便宜のために、“プロセッサ”として言及することがある）コンピュータ／プロセッサのような機械に結合してもよい。サンプル記憶媒体は、プロセッサに一体化してもよい。プロセッサおよび記憶媒体は、ＡＳＩＣに存在してもよい。ＡＳＩＣは、ユーザ機器に存在してもよい。代替実施形態では、プロセッサおよび記憶媒体は、ユーザ機器中のディスクリートコンポーネントとして存在してもよい。さらに、いくつかの側面では、何らかの適したコンピュータプログラムプロダクトは、本開示の側面のうちの１つ以上のものに関連する（例えば、少なくとも１つのコンピュータにより実行可能なコードでエンコードされた）コードを備える、コンピュータ読取可能媒体を具備していてもよい。いくつかの側面では、コンピュータプログラムプロダクトは、パッケージングマテリアルを備えていてもよい。
【００９１】
開示した側面のこれまでの記述は、当業者が本開示を製作または使用できるように提供した。これらの側面に対するさまざま改良は当業者に容易に明らかとなり、ここに規定した一般的な原理は、本開示の範囲から逸脱することなく、他の側面に適用されてもよい。したがって、本開示は、ここで示した側面に限定されることを意図しているものではなく、ここで開示した原理および新しい特徴と一致した最も広い範囲に一致させるべきである。
以下に、本願出願時の特許請求の範囲に記載された発明を付記する。
〔１〕ワイヤレス通信の方法において、
時間の期間の間にパルスを送信することと、
前記時間の期間の間に受信されることが予期されているデータに対する少なくとも１つの値を指定することとを含む方法。
〔２〕前記少なくとも１つの値は、少なくとも１つの予め規定された値を含む上記〔１〕記載の方法。
〔３〕前記少なくとも１つの値のそれぞれの値は０になるように規定されている上記〔１〕記載の方法。
〔４〕ノイズレベルまたは信号レベルのうちの少なくとも１つに基づいて、前記少なくとも１つの値は規定されている上記〔１〕記載の方法。
〔５〕前記少なくとも１つの値は、データサンプルに対応する複数の値を含み、
前記複数の値のうちの少なくとも１つのメンバは、第１の値になるように規定され、前記複数の値のうちの残りの各メンバは、第２の値になるように規定されている上記〔１〕記載の方法。
〔６〕前記複数の値のうちの少なくとも１つのメンバは、メンバの規定された量を含み、前記規定された量は、ノイズレベルまたは信号レベルのうちの少なくとも１つに基づいている上記〔５〕記載の方法。
〔７〕前記データは、受信時間期間の間に受信されることが予期されており、
前記方法は、前記受信時間期間が前記時間の期間とオーバーラップしているオーバーラップ時間期間を決定することをさらに含み、
前記少なくとも１つの値は、前記オーバーラップ時間期間に対して指定される上記〔１〕記載の方法。
〔８〕前記受信時間期間の間に受信されることが予期されているデータは、別のパルスの少なくとも一部に対応している上記〔７〕記載の方法。
〔９〕前記オーバーラップ時間期間に対して指定されている少なくとも１つの値は、データサンプルに対応する複数の値を含み、
前記複数の値のうちの少なくとも１つのメンバは、第１の値になるように規定され、前記複数の値のうちの残りの各メンバは、第２の値になるように規定されている上記〔７〕記載の方法。
〔１０〕前記複数の値のうちの少なくとも１つのメンバは、メンバの規定された量を含み、前記規定された量は、ノイズレベルまたは信号レベルのうちの少なくとも１つに基づいている上記〔９〕記載の方法。
〔１１〕前記時間の期間は、別のパルスを受信するために規定された複数のＰＰＭ位置のうちの少なくとも１つの位置とオーバーラップし、
前記方法は、
前記ＰＰＭ位置のうちの少なくとも別の１つに対する少なくとも１つの他のデータ値を決定することと、
前記時間の期間の間に受信されることが予期されているデータに基づくのではなく、前記少なくとも１つの他のデータ値に基づいて、前記別のパルスに対するデータ値を決定することとをさらに含む上記〔１〕記載の方法。
〔１２〕前記別のパルスに対するデータ値の決定は、オン−オフキーイング動作を含む上記〔１１〕記載の方法。
〔１３〕前記別のパルスに対するデータ値の決定は、前記別のパルスに対するデータ値を前記少なくとも１つの他のデータ値に等しく設定することを含む上記〔１１〕記載の方法。
〔１４〕前記少なくとも１つの値の指定は、前記少なくとも１つの他のデータ値に基づいて、前記少なくとも１つの位置に対するデータ値を推定することを含み、前記別のパルスに対するデータ値の決定は、前記別のパルスに対するデータ値を、前記推定されたデータ値に等しく設定することを含む上記〔１１〕記載の方法。
〔１５〕前記時間の期間の間に受信されることが予期されているデータに基づいて、前記別のパルスに対するデータ値を決定しないようにする判断が、前記時間の期間の間に受信されることが予期されているデータが利用可能ではない、または、十分に正確ではないという決定によりトリガされる上記〔１１〕記載の方法。
〔１６〕前記少なくとも１つの値を使用して、受信されるデータ値を決定するための判断しきい値を提供することをさらに含む上記〔１〕記載の方法。
〔１７〕前記時間の期間は、受信データに対する複数のＰＰＭ位置のうちの少なくとも１つとオーバーラップし、
前記方法は、
前記少なくとも１つの値に基づいて、少なくとも１つの決定される値を決定することと、
前記ＰＰＭ位置のうちの少なくとも別の１つの間にサンプリングすることにより、少なくとも１つのサンプリング値を発生させることと、
前記少なくとも１つの決定された値と、前記少なくとも１つのサンプリング値とに基づいて、ＰＰＭデータ値を決定することとをさらに含む上記〔１〕記載の方法。
〔１８〕前記受信されることが予期されているデータは、受信サンプリング期間の間に取得される複数のサンプルを含む上記〔１〕記載の方法。
〔１９〕前記少なくとも１つの値の指定は、
前記パルスの送信により影響されるサンプルの量を決定することと、
前記決定された量に基づいて、前記少なくとも１つの値を規定することとを含む上記〔１８〕記載の方法。
〔２０〕前記少なくとも１つの値は、少なくとも１つの規定された値を含み、前記方法は、前記少なくとも１つの規定された値を適応することをさらに含む上記〔１〕記載の方法。
〔２１〕測定されたノイズレベル、選択された無線周波数チャネル、またはデータエラーテストの結果のうちの少なくとも１つに基づいて、前記少なくとも１つの規定された値が適応される上記〔２０〕記載の方法。
〔２２〕前記受信されることが予期されているデータに関係するＰＰＭ位置の第１の部分は前記時間の期間とオーバーラップし、前記ＰＰＭ位置の第２の部分は前記時間の期間とオーバーラップせず、
前記方法は、
前記ＰＰＭ位置の第２の部分の間にデータを受信することと、
前記受信されたデータと、前記指定された少なくとも１つの値とに基づいて、前記ＰＰＭ位置に対する値を規定することとをさらに含む上記〔１〕記載の方法。
〔２３〕送信する手段が前記パルスを送信するようにイネーブルされている第１の時間期間、前記送信する手段が前記パルスを送信している第２の時間期間、または、前記パルスの送信の後に、前記送信する手段がディセーブルされている第３の時間期間のうちの少なくとも１つを前記時間の期間は含む上記〔１〕記載の方法。
〔２４〕ワイヤレス通信のための装置において、
時間の期間の間にパルスを送信するように構成されている送信機と、
前記時間の期間の間に受信されることが予期されているデータに対する少なくとも１つの値を指定するように構成されている受信データ指定器とを具備するワイヤレス通信のための装置。
〔２５〕前記少なくとも１つの値は、少なくとも１つの予め規定された値を含む上記〔２４〕記載の装置。
〔２６〕前記少なくとも１つの値のそれぞれの値は０になるように規定されている上記〔２４〕記載の装置。
〔２７〕ノイズレベルまたは信号レベルのうちの少なくとも１つに基づいて、前記少なくとも１つの値は規定されている上記〔２４〕記載の装置。
〔２８〕前記少なくとも１つの値は、データサンプルに対応する複数の値を含み、
前記複数の値のうちの少なくとも１つのメンバは、第１の値になるように規定され、前記複数の値のうちの残りの各メンバは、第２の値になるように規定されている上記〔２４〕記載の装置。
〔２９〕前記複数の値のうちの少なくとも１つのメンバは、メンバの規定された量を含み、
前記規定された量は、ノイズレベルまたは信号レベルのうちの少なくとも１つに基づいている上記〔２８〕記載の装置。
〔３０〕前記データは、受信時間期間の間に受信されることが予期されており、
前記装置は、前記受信時間期間が前記時間の期間とオーバーラップしているオーバーラップ時間期間を決定するように構成されている衝突検出器をさらに具備し、
前記少なくとも１つの値は、前記オーバーラップ時間期間に対して指定される上記〔２４〕記載の装置。
〔３１〕前記受信時間期間の間に受信されることが予期されているデータは、別のパルスの少なくとも一部に対応している上記〔３０〕記載の装置。
〔３２〕前記オーバーラップ時間期間に対して指定されている少なくとも１つの値は、データサンプルに対応する複数の値を含み、
前記複数の値のうちの少なくとも１つのメンバは、第１の値になるように規定され、前記複数の値のうちの残りの各メンバは、第２の値になるように規定されている上記〔３０〕記載の装置。
〔３３〕前記複数の値のうちの少なくとも１つのメンバは、メンバの規定された量を含み、
前記規定された量は、ノイズレベルまたは信号レベルのうちの少なくとも１つに基づいている上記〔３２〕記載の装置。
〔３４〕前記時間の期間は、別のパルスを受信するために規定された複数のＰＰＭ位置のうちの少なくとも１つの位置とオーバーラップし、
前記装置は、
前記ＰＰＭ位置のうちの少なくとも別の１つに対する少なくとも１つの他のデータ値を決定するように構成されているサンプラーと、
前記時間の期間の間に受信されることが予期されているデータに基づくのではなく、前記少なくとも１つの他のデータ値に基づいて、前記別のパルスに対するデータ値を決定するように構成されているデコーダとをさらに具備する上記〔２４〕記載の装置。
〔３５〕前記別のパルスに対するデータ値の決定は、オン−オフキーイング動作を含む上記〔３４〕記載の装置。
〔３６〕前記別のパルスに対するデータ値の決定は、前記別のパルスに対するデータ値を前記少なくとも１つの他のデータ値に等しく設定することを含む上記〔３４〕記載の装置。
〔３７〕前記受信データ指定器は、前記少なくとも１つの他のデータ値に基づいて、前記少なくとも１つの位置に対するデータ値を推定することにより、前記少なくとも１つの値を指定するようにさらに構成され、
前記別のパルスに対するデータ値の決定は、前記別のパルスに対するデータ値を、前記推定されたデータ値に等しく設定することを含む上記〔３４〕記載の装置。
〔３８〕前記時間の期間の間に受信されることが予期されているデータに基づいて、前記別のパルスに対するデータ値を決定しないようにする判断が、前記時間の期間の間に受信されることが予期されているデータが利用可能ではない、または、十分に正確ではないという決定によりトリガされる上記〔３４〕記載の装置。
〔３９〕前記少なくとも１つの値を使用して、受信されるデータ値を決定するための判断しきい値を提供するように構成されているデコーダをさらに具備する上記〔２４〕記載の装置。
〔４０〕前記時間の期間は、受信データに対する複数のＰＰＭ位置のうちの少なくとも１つとオーバーラップし、
前記装置は、前記少なくとも１つの値に基づいて、少なくとも１つの決定される値を決定するように構成されているデコーダをさらに具備し、
前記装置は、前記ＰＰＭ位置のうちの少なくとも別の１つの間にサンプリングすることにより、少なくとも１つのサンプリング値を発生させるように構成されているサンプラーをさらに具備し、
前記デコーダは、前記少なくとも１つの決定された値と、前記少なくとも１つのサンプリング値とに基づいて、ＰＰＭデータ値を決定するようにさらに構成されている上記〔２４〕記載の装置。
〔４１〕前記受信されることが予期されているデータは、受信サンプリング期間の間に取得される複数のサンプルを含む上記〔２４〕記載の装置。
〔４２〕前記少なくとも１つの値の指定は、
前記パルスの送信により影響されるサンプルの量を決定することと、
前記決定された量に基づいて、前記少なくとも１つの値を規定することとを含む上記〔４１〕記載の装置。
〔４３〕前記少なくとも１つの値は、少なくとも１つの規定された値を含み、
前記装置は、前記少なくとも１つの規定された値を適応させるように構成されているデータ値決定器をさらに具備する上記〔２４〕記載の装置。
〔４４〕測定されたノイズレベル、選択された無線周波数チャネル、またはデータエラーテストの結果のうちの少なくとも１つに基づいて、前記少なくとも１つの規定された値が適応される上記〔４３〕記載の装置。
〔４５〕前記受信されることが予期されているデータに関係するＰＰＭ位置の第１の部分は前記時間の期間とオーバーラップし、前記ＰＰＭ位置の第２の部分は前記時間の期間とオーバーラップせず、
前記装置は、
前記ＰＰＭ位置の第２の部分の間にデータを受信するように構成されている受信機と、
前記受信されたデータと、前記指定された少なくとも１つの値とに基づいて、前記ＰＰＭ位置に対する値を規定するように構成されているデコーダとをさらに具備する上記〔２４〕記載の装置。
〔４６〕送信する手段が前記パルスを送信するようにイネーブルされている第１の時間期間、前記送信する手段が前記パルスを送信している第２の時間期間、または、前記パルスの送信の後に、前記送信する手段がディセーブルされている第３の時間期間のうちの少なくとも１つを前記時間の期間は含む上記〔２４〕記載の装置。
〔４７〕ワイヤレス通信のための装置において、
時間の期間の間にパルスを送信する手段と、
前記時間の期間の間に受信されることが予期されているデータに対する少なくとも１つの値を指定する手段とを具備するワイヤレス通信のための装置。
〔４８〕前記少なくとも１つの値は、少なくとも１つの予め規定された値を含む上記〔４７〕記載の装置。
〔４９〕前記少なくとも１つの値のそれぞれの値は０になるように規定されている上記〔４７〕記載の装置。
〔５０〕ノイズレベルまたは信号レベルのうちの少なくとも１つに基づいて、前記少なくとも１つの値は規定されている上記〔４７〕記載の装置。
〔５１〕前記少なくとも１つの値は、データサンプルに対応する複数の値を含み、
前記複数の値のうちの少なくとも１つのメンバは、第１の値になるように規定され、前記複数の値のうちの残りの各メンバは、第２の値になるように規定されている上記〔４７〕記載の装置。
〔５２〕前記複数の値のうちの少なくとも１つのメンバは、メンバの規定された量を含み、
前記規定された量は、ノイズレベルまたは信号レベルのうちの少なくとも１つに基づいている上記〔５１〕記載の装置。
〔５３〕前記データは、受信時間期間の間に受信されることが予期されており、
前記装置は、前記受信時間期間が前記時間の期間とオーバーラップしているオーバーラップ時間期間を決定する手段をさらに具備し、
前記少なくとも１つの値は、前記オーバーラップ時間期間に対して指定される上記〔４７〕記載の装置。
〔５４〕前記受信時間期間の間に受信されることが予期されているデータは、別のパルスの少なくとも一部に対応している上記〔５３〕記載の装置。
〔５５〕前記オーバーラップ時間期間に対して指定されている少なくとも１つの値は、データサンプルに対応する複数の値を含み、
前記複数の値のうちの少なくとも１つのメンバは、第１の値になるように規定され、前記複数の値のうちの残りの各メンバは、第２の値になるように規定されている上記〔５３〕記載の装置。
〔５６〕前記複数の値のうちの少なくとも１つのメンバは、メンバの規定された量を含み、
前記規定された量は、ノイズレベルまたは信号レベルのうちの少なくとも１つに基づいている上記〔５５〕記載の装置。
〔５７〕前記時間の期間は、別のパルスを受信するために規定された複数のＰＰＭ位置のうちの少なくとも１つの位置とオーバーラップし、
前記装置は、
前記ＰＰＭ位置のうちの少なくとも別の１つに対する少なくとも１つの他のデータ値を決定する手段と、
前記時間の期間の間に受信されることが予期されているデータに基づくのではなく、前記少なくとも１つの他のデータ値に基づいて、前記別のパルスに対するデータ値を決定する手段とをさらに具備する上記〔４７〕記載の装置。
〔５８〕前記別のパルスに対するデータ値の決定は、オン−オフキーイング動作を含む上記〔５７〕記載の装置。
〔５９〕前記別のパルスに対するデータ値の決定は、前記別のパルスに対するデータ値を前記少なくとも１つの他のデータ値に等しく設定することを含む上記〔５７〕記載の装置。
〔６０〕前記指定する手段は、前記少なくとも１つの他のデータ値に基づいて、前記少なくとも１つの位置に対するデータ値を推定することにより、前記少なくとも１つの値を指定するように構成され、
前記別のパルスに対するデータ値の決定は、前記別のパルスに対するデータ値を、前記推定されたデータ値に等しく設定することを含む上記〔５７〕記載の装置。
〔６１〕前記時間の期間の間に受信されることが予期されているデータに基づいて、前記別のパルスに対するデータ値を決定しないようにする判断が、前記時間の期間の間に受信されることが予期されているデータが利用可能ではない、または、十分に正確ではないという決定によりトリガされる上記〔５７〕記載の装置。
〔６２〕前記少なくとも１つの値を使用して、受信されるデータ値を決定するための判断しきい値を提供する手段をさらに具備する上記〔４７〕記載の装置。
〔６３〕前記時間の期間は、受信データに対する複数のＰＰＭ位置のうちの少なくとも１つとオーバーラップし、
前記装置は、前記少なくとも１つの値に基づいて、少なくとも１つの決定される値を決定する手段をさらに具備し、
前記装置は、前記ＰＰＭ位置のうちの少なくとも別の１つの間にサンプリングすることにより、少なくとも１つのサンプリング値を発生させる手段をさらに具備し、
前記装置は、前記少なくとも１つの決定された値と、前記少なくとも１つのサンプリング値とに基づいて、ＰＰＭデータ値を決定する手段をさらに具備する上記〔４７〕記載の装置。
〔６４〕前記受信されることが予期されているデータは、受信サンプリング期間の間に取得される複数のサンプルを含む上記〔４７〕記載の装置。
〔６５〕前記少なくとも１つの値の指定は、
前記パルスの送信により影響されるサンプルの量を決定することと、
前記決定された量に基づいて、前記少なくとも１つの値を規定することとを含む上記〔６４〕記載の装置。
〔６６〕前記少なくとも１つの値は、少なくとも１つの規定された値を含み、前記装置は、前記少なくとも１つの規定された値を適応させる手段をさらに具備する上記〔４７〕記載の装置。
〔６７〕測定されたノイズレベル、選択された無線周波数チャネル、またはデータエラーテストの結果のうちの少なくとも１つに基づいて、前記少なくとも１つの規定された値が適応される上記〔６６〕記載の装置。
〔６８〕前記受信されることが予期されているデータに関係するＰＰＭ位置の第１の部分は前記時間の期間とオーバーラップし、前記ＰＰＭ位置の第２の部分は前記時間の期間とオーバーラップせず、
前記装置は、
前記ＰＰＭ位置の第２の部分の間にデータを受信する手段と、
前記受信されたデータと、前記指定された少なくとも１つの値とに基づいて、前記ＰＰＭ位置に対する値を規定する手段とをさらに具備する上記〔４７〕記載の装置。
〔６９〕前記送信する手段が前記パルスを送信するようにイネーブルされている第１の時間期間、前記送信する手段が前記パルスを送信している第２の時間期間、または、前記パルスの送信の後に、前記送信する手段がディセーブルされている第３の時間期間のうちの少なくとも１つを前記時間の期間は含む上記〔４７〕記載の装置。
〔７０〕ワイヤレス通信のためのコンピュータプログラムプロダクトにおいて、
時間の期間の間にパルスを送信するために実行可能なコードと、
前記時間の期間の間に受信されることが予期されているデータに対する少なくとも１つの値を指定するために実行可能なコードとによりエンコードされているコンピュータ読取可能媒体を具備するワイヤレス通信のためのコンピュータプログラムプロダクト。
〔７１〕ヘッドセットにおいて、
時間の期間の間にパルスを送信するように構成されている送信機と、
前記時間の期間の間に受信されることが予期されているデータに対する少なくとも１つの値を指定するように構成されている受信データ指定器と、
前記指定された少なくとも１つの値に基づいて、オーディオ出力を提供するように構成されているトランスデューサとを具備するヘッドセット。
〔７２〕ウォッチにおいて、
時間の期間の間にパルスを送信するように構成されている送信機と、
前記時間の期間の間に受信されることが予期されているデータに対する少なくとも１つの値を指定するように構成されている受信データ指定器と、
前記指定された少なくとも１つの値に基づいて、表示を提供するように構成されているユーザインターフェースとを具備するウォッチ。
〔７３〕感知デバイスにおいて、
時間の期間の間にパルスを送信するように構成されている送信機と、
前記時間の期間の間に受信されることが予期されているデータに対する少なくとも１つの値を指定するように構成されている受信データ指定器と、
前記パルスを介して送信するためのデータを提供するように構成されているセンサとを具備する感知デバイス。
〔７４〕ワイヤレス通信の方法において、
ノードによるパルスの送信が、前記ノードにおいて別のパルスを受信するために規定された複数のＰＰＭ位置のうちの少なくとも１つの位置の間で生じていることを決定することと、
前記ＰＰＭ位置のうちの少なくとも別の１つの間に、前記別のパルスを監視することと、
前記監視に基づいて、前記ＰＰＭ位置のうちの少なくとも別の１つに対する少なくとも１つのデータ値を決定することと、
前記少なくとも１つの位置の間に受信される何らかのデータに基づくのではなく、前記少なくとも１つのデータ値に基づいて、前記別のパルスに対するデータ値を決定することとを含む方法。
〔７５〕前記別のパルスに対するデータ値の決定は、オン−オフキーイング動作を含む上記〔７４〕記載の方法。
〔７６〕前記別のパルスに対するデータ値の決定は、前記別のパルスに対するデータ値を前記少なくとも１つのデータ値に等しく設定することを含む上記〔７４〕記載の方法。
〔７７〕前記少なくとも１つのデータ値に基づいて、前記少なくとも１つの位置に対する少なくとも１つの他のデータ値を推定することをさらに含み、前記別のパルスに対するデータ値の決定は、前記別のパルスに対するデータ値を、前記推定された少なくとも１つの他のデータ値に等しく設定することを含む上記〔７４〕記載の方法。
〔７８〕前記少なくとも１つの位置の間に受信される何らかのデータに基づいて、前記別のパルスに対するデータ値を決定しないようにする判断が、少なくとも１つの適応可能な基準に基づいている上記〔７４〕記載の方法。
〔７９〕前記少なくとも１つの位置の間に受信される何らかデータに基づいて、前記別のパルスに対するデータ値を決定しないようにする判断が、前記少なくとも１つの位置の間に前記データが受信されていない、または、前記少なくとも１つの位置の間に受信される何らかのデータは十分に正確ではないという決定によりトリガされる上記〔７４〕記載の方法。
〔８０〕前記パルスの送信により影響されている、前記少なくとも１つの位置に関係するサンプルの量を決定することをさらに含み、前記少なくとも１つの位置の間に受信される何らかのデータに基づいて、前記別のパルスに対するデータ値を決定しないようにする判断が、前記決定された量に基づいている上記〔７４〕記載の方法。
〔８１〕ワイヤレス通信のための装置において、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダとを具備するワイヤレス通信のための装置。
〔８２〕前記別のパルスに対するデータ値の決定は、オン−オフキーイング動作を含む上記〔８１〕記載の装置。
〔８３〕前記別のパルスに対するデータ値の決定は、前記別のパルスに対するデータ値を前記少なくとも１つのデータ値に等しく設定することを含む上記〔８１〕記載の装置。
〔８４〕前記少なくとも１つのデータ値に基づいて、前記少なくとも１つの位置に対する少なくとも１つの他のデータ値を推定するように構成されている受信データ指定器をさらに具備し、前記別のパルスに対するデータ値の決定は、前記別のパルスに対するデータ値を、前記推定された少なくとも１つの他のデータ値に等しく設定することを含む上記〔８１〕記載の装置。
〔８５〕前記少なくとも１つの位置の間に受信される何らかのデータに基づいて、前記別のパルスに対するデータ値を決定しないようにする判断が、少なくとも１つの適応可能な基準に基づいている上記〔８１〕記載の装置。
〔８６〕前記少なくとも１つの位置の間に受信される何らかデータに基づいて、前記別のパルスに対するデータ値を決定しないようにする判断が、前記少なくとも１つの位置の間に前記データが受信されていない、または、前記少なくとも１つの位置の間に受信される何らかのデータは十分に正確ではないという決定によりトリガされる上記〔８１〕記載の装置。
〔８７〕前記衝突検出器は、前記パルスの送信により影響されている、前記少なくとも１つの位置に関係するサンプルの量を決定するようにさらに構成され、前記少なくとも１つの位置の間に受信される何らかのデータに基づいて、前記別のパルスに対するデータ値を決定しないようにする判断が、前記決定された量に基づいている上記〔８１〕記載の装置。
〔８８〕ワイヤレス通信のための装置において、
ノードによるパルスの送信は、前記ノードにおいて別のパルスを受信するために規定された複数のＰＰＭの位置のうちの少なくとも１つの位置の間で生じていることを決定する手段と、
前記ＰＰＭ位置のうちの少なくとも別の１つの間に、前記別のパルスを監視する手段と、
前記監視に基づいて、前記ＰＰＭ位置のうちの少なくとも別の１つに対する少なくとも１つのデータ値を決定する手段と、
前記少なくとも１つの位置の間に受信される何らかのデータに基づくのではなく、前記少なくとも１つのデータ値に基づいて、前記別のパルスに対するデータ値を決定する手段とを具備するワイヤレス通信のための装置。
〔８９〕前記別のパルスに対するデータ値の決定は、オン−オフキーイング動作を含む上記〔８８〕記載の装置。
〔９０〕前記別のパルスに対するデータ値の決定は、前記別のパルスに対するデータ値を前記少なくとも１つのデータ値に等しく設定することを含む上記〔８８〕記載の装置。
〔９１〕前記少なくとも１つのデータ値に基づいて、前記少なくとも１つの位置に対する少なくとも１つの他のデータ値を推定する手段をさらに具備し、前記別のパルスに対するデータ値の決定は、前記別のパルスに対するデータ値を、前記推定された少なくとも１つの他のデータ値に等しく設定することを含む上記〔８８〕記載の装置。
〔９２〕前記少なくとも１つの位置の間に受信される何らかのデータに基づいて、前記別のパルスに対するデータ値を決定しないようにする判断が、少なくとも１つの適応可能な基準に基づいている上記〔８８〕記載の装置。
〔９３〕前記少なくとも１つの位置の間に受信される何らかデータに基づいて、前記別のパルスに対するデータ値を決定しないようにする判断が、前記少なくとも１つの位置の間に前記データが受信されていない、または、前記少なくとも１つの位置の間に受信される何らかのデータは十分に正確ではないという決定によりトリガされる上記〔８８〕記載の装置。
〔９４〕前記ノードによるパルスの送信は、少なくとも１つの位置の間で生じていることを決定する手段は、前記パルスの送信により影響されている、前記少なくとも１つの位置に関係するサンプルの量を決定するように構成され、
前記少なくとも１つの位置の間に受信される何らかのデータに基づいて、前記別のパルスに対するデータ値を決定しないようにする判断が、前記決定された量に基づいている上記〔８８〕記載の装置。
〔９５〕ワイヤレス通信のためのコンピュータプログラムプロダクトにおいて、
ノードによるパルスの送信が、前記ノードにおいて別のパルスを受信するために規定された複数のＰＰＭ位置のうちの少なくとも１つの位置の間で生じていることを決定するために実行可能のコードと、
前記ＰＰＭ位置のうちの少なくとも別の１つの間に、前記別のパルスを監視するために実行可能なコードと、
前記監視に基づいて、前記ＰＰＭ位置のうちの少なくとも別の１つに対する少なくとも１つのデータ値を決定するために実行可能なコードと、
前記少なくとも１つの位置の間に受信される何らかのデータに基づくのではなく、前記少なくとも１つのデータ値に基づいて、前記別のパルスに対するデータ値を決定するために実行可能なコードとによりエンコードされているコンピュータ読取可能媒体を具備するコンピュータプログラムプロダクト。
〔９６〕ヘッドセットにおいて、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダと、
前記別のパルスに対するデータ値に基づいて、オーディオ出力を提供するように構成されているトランスデューサとを具備するヘッドセット。
〔９７〕ウォッチにおいて、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダと、
前記別のパルスに対するデータ値に基づいて、表示を提供するように構成されているユーザインターフェースとを具備するウォッチ。
〔９８〕感知デバイスにおいて、
ノードによるパルスの送信が、前記ノードにおいて別のパルスを受信するために規定された複数のＰＰＭの位置のうちの少なくとも１つの位置の間で生じていることを決定するように構成されている衝突検出器と、
前記ＰＰＭ位置のうちの少なくとも別の１つの間に、前記別のパルスを監視するように構成されている受信機と、
前記監視に基づいて、前記ＰＰＭ位置のうちの少なくとも別の１つに対する少なくとも１つのデータ値を決定するように構成されているサンプラーと、
前記少なくとも１つの位置の間に受信される何らかのデータに基づくのではなく、前記少なくとも１つのデータ値に基づいて、前記別のパルスに対するデータ値を決定するように構成されているデコーダと、
前記パルスを介して送信するためのデータを提供するように構成されているセンサとを具備する感知デバイス。
【図１】
0005453423.tif 000002
【図２】
0005453423.tif 000003
【図３】
0005453423.tif 000004
【図４】
0005453423.tif 000005
【図５】
0005453423.tif 000006
【図６】
0005453423.tif 000007
【図７】
0005453423.tif 000008
【図８】
0005453423.tif 000009
【図９】
0005453423.tif 000010
【図１０】
0005453423.tif 000011
【図１１】
0005453423.tif 000012
【図１２】
0005453423.tif 000013